(57)【要約】【課題】優れた吸水性と乾燥性を有するサウナマットを提供する。【解決手段】サウナマットであって、単糸繊度が１．０ｄｔｅｘ以下の極細繊維を含む基布を含んでなるサウナマットであり、必要に応じてヘムの取り付けおよび／または取手を縫着する。【選択図】図４
0003123963.tif 000002
【実用新案登録請求の範囲】
【請求項１】
サウナマットであって、単糸繊度が１．０ｄｔｅｘ以下の極細繊維を含む基布を含んでなることを特徴とするサウナマット。
【請求項２】
前記の極細繊維がポリエステル繊維またはポリアミド繊維である、請求項１に記載のサウナマット。
【請求項３】
前記の極細繊維に仮撚捲縮加工が施されてなる、請求項１または請求項２に記載のサウナマット。
【請求項４】
前記の極細繊維が、複合糸の鞘糸に配された複合糸として基布に含まれる、請求項１〜３のいずれかに記載のサウナマット。
【請求項５】
前記の複合糸が、鞘糸の芯糸に対する糸長率を１５０〜５００％の範囲内とすることにより前記鞘糸を芯糸の周りにループ状突出部、またはコイルスプリング状捲回構造部に形成せしめ、押さえ糸により鞘糸を芯糸に固定せしめた複合糸である、請求項４に記載のサウナマット。
【請求項６】
前記の基布が織物である、請求項１〜５のいずれかに記載のサウナマット。
【請求項７】
前記の織物が緯二重織組織を有する、請求項６に記載のサウナマット。
【請求項８】
前記の織物において、緯糸が３〜１５本連続して浮く組織であって、表裏が同じ組織を有する、請求項７に記載のサウナマット。
【請求項９】
基布の周囲に、該周囲をパイピングによるヘム（ふち縫い）がなされている、請求項１〜８のいずれかに記載のサウナマット。
【請求項１０】
サウナマットが持ち運び用の取手を有する、請求項１〜９のいずれかに記載のサウナマット。
【請求項１１】
サウナマットが着座用である、請求項１〜１０のいずれかに記載のサウナマット。
【請求項１２】
サウナマットが一人用である、請求項１〜１１のいずれかに記載のサウナマット。
【請求項１３】
サウナマットの平面寸法が、一辺（３０〜５０ｃｍ）×（４０〜７０ｃｍ）の範囲内である、請求項１〜１２のいずれかに記載のサウナマット。
【請求項１４】
サウナマットが合成繊維のみから構成される、請求項１〜１３のいずれかに記載のサウナマット。
【請求項１５】
サウナマットがリネンサプライとして使用される、請求項１〜１４のいずれかに記載のサウナマット。
【考案の詳細な説明】
【技術分野】
【０００１】
本考案は、サウナマットであって、優れた吸水性を有しかつ乾燥性に優れたサウナマットに関する。
【背景技術】
【０００２】
従来、サウナ室内で使用されるサウナマットとしては、抗菌性を有するマット（例えば、特許文献１参照）、防水性布帛を含むマット（例えば、特許文献２参照）など各種のサウナマットが提案されている。しかしながら、優れた吸水性を有するサウナマットはこれまであまり提案されていない。また、実際には圧倒的に綿によるサウナマットが多く使用されており、乾燥性に優れた布帛の要求は依然根強い。
なお、極細繊維を用いたタオルは、例えば特許文献３、特許文献４により提案されている。
【０００３】
【特許文献１】実用新案登録第３１０４５４９号公報
【特許文献２】実公平３−４０２９４号公報
【特許文献３】特開平２−２５７９１８号公報
【特許文献４】実開平６−１３６８０号公報
【考案の開示】
【考案が解決しようとする課題】
【０００４】
本考案は、上記の背景に鑑みなされたものであり、その目的は、優れた吸水性と乾燥性を有するサウナマットを提供することにある。
【課題を解決するための手段】
【０００５】
本考案者は、上記目的を達成するため鋭意検討した結果、単糸繊度が１．０ｄｔｅｘ以下の極細繊維を少なくとも用いてサウナマットを構成することにより、所望の優れた吸水性と乾燥性を有するサウナマットが得られることを見出し、さらに鋭意検討を重ねることにより本考案に想到した。
【０００６】
かくして、本考案によれば「サウナマットであって、単糸繊度が１．０ｄｔｅｘ以下の極細繊維を含む基布を含んでなることを特徴とするサウナマット。」が提供される。
【０００７】
その際、前記の極細繊維がポリエステル繊維またはポリアミド繊維であることが好ましい。かかる極細繊維には仮撚捲縮加工が施されていることが好ましい。また、前記の極細繊維が、複合糸の鞘糸に配された複合糸として基布に含まれることが好ましい。
【０００８】
その際、前記の複合糸が、鞘糸の芯糸に対する糸長率を１５０〜５００％の範囲内とすることにより前記鞘糸を芯糸の周りにループ状突出部、またはコイルスプリング状捲回構造部に形成せしめ、押さえ糸により鞘糸を芯糸に固定せしめた複合糸であることが好ましい。
【０００９】
本考案のサウナマットにおいて、基布が織物であることが好ましい。かかる織物としては緯二重織組織を有する織物であることが好ましい。特に、緯糸が３〜１５本連続して浮く組織であって、表裏が同じ組織を有することが好ましい。また、基布の周囲に、該周囲をパイピングによるヘム（ふち縫い）が施されていることが好ましい。また、サウナマットが持ち運び用の取手を有することが好ましい。
【００１０】
本考案のサウナマットは着座用であることが好ましい。また、サウナマットが一人用であることが衛生上好ましい。本考案のサウナマットの平面寸法としては、一辺が（３０〜５０ｃｍ）×（４０〜７０ｃｍ）の範囲内であることが好ましい。また、本考案のサウナマットは合成繊維のみから構成されることが好ましい。
本考案のサウナマットは、リネンサプライとして好適に使用することができる。
【考案の効果】
【００１１】
本考案によれば、優れた吸水性と乾燥性を有するサウナマットが得られる。
【考案を実施するための最良の形態】
【００１２】
以下、本考案を詳細に説明する。本考案のサウナマットは、単糸繊度が１．０ｄｔｅｘ以下（好ましくは０．０１〜０．９ｄｔｅｘ）の極細繊維を含む基布を含んでいる。該単糸繊度が１．０ｄｔｅｘよりも大きいと、本考案の主目的である吸水性能が十分には得られず好ましくない。かかる極細繊維の種類は特に限定されず、ポリエチレンテレフタレートなどのポリエステルやポリアミドに代表される合成繊維や、再生繊維、半合成繊維、天然繊維など自由に選択できる。この中でも、１．０ｄｔｅｘ以下の極細繊維を得る上で合成繊維が好ましく例示される。かかる極細繊維の製造方法については常法の方法を採用することができる。例えば、ポリマーとして、ポリエチレンテレフタレートとポリアミドを使用して、分割可能な割繊型複合繊維を染色工程の熱履歴により割繊されたものが、乾燥性だけでなく、空隙が多く優れた吸水性が得られ好ましい。また、かかる極細繊維に仮撚捲縮加工が施されていると嵩が大きくなり吸水性が向上し好ましい。
【００１３】
本考案のサウナマットにおいて、前記の極細繊維が単独糸条として基布に含まれていてもよいが、嵩を大きくして吸水性を高める上で、前記の極細繊維が複合糸の鞘糸に配された複合糸して含まれることが好ましい。特に、特開平２−２５７９１８号公報に開示されているように、前記の複合糸が、鞘糸の芯糸に対する糸長率を１５０〜５００％の範囲内とすることにより前記鞘糸を芯糸の周りにループ状突出部、またはコイルスプリング状捲回構造部に形成せしめ、押さえ糸により鞘糸を芯糸に固定せしめた複合糸であることが好ましい。このような複合糸を採用することにより特に優れた吸水性が得られ好ましい。その際、芯糸および押さえ糸としては、仮撚捲縮加工を施されたポリエステルマルチフィラメントが好ましい。
【００１４】
本考案のサウナマットに含まれる基布において、その布帛組織は特に限定されず織物、編物、不織布いずれでもよいが、布帛強度を高める上で織物が好ましい。かかる織物において、織物組織としては嵩を高めて優れた吸水性を得る上で、緯二重織組織を有する織物が好ましい。特に、特開平２−２５７９１８号公報の図４に開示されたような、緯糸が３〜１５本連続して浮く組織であって、表裏が同じ組織を有する織物が好ましい。その際、前記極細繊維または前記極細繊維を鞘糸に含む複合糸が緯糸に配され、ポリエステル仮撚捲縮加工糸が経糸に配されることが好ましい。特に、合成繊維のみで基布を構成することにより、サウナマットの洗濯耐久性が向上し好ましい。
【００１５】
本考案のサウナマットにおいて、サウナマットの平面形状としては、角部が丸みを有する長方形、長方形、角部が丸みを有する正方形、正方形、角部が丸みを有する三角形、三角形、円形、楕円形など例示される。なかでも、図１のような角部が丸みを有する長方形が好ましく例示される。なお、基布の厚さとしては、１，５〜３，０ｍｍの範囲内であることが好ましい。また、基布の目付けとしては、３５０〜４５０ｇ／ｍ２の範囲内であることが好ましい。
【００１６】
本考案のサウナマットにおいて、前記の基布１を所定の形状に裁断しただけでもよいが、周囲がほつれないよう周囲を少し折り曲げて縫製してもよい。また、図２およびその断面である図３に示すように、サウナマットを基布１とその周囲をパイピング材をもちいたヘム(ふち縫い)２を施し、ヘム２の裁断部が外部に露出することのないように内側に折り込むことが好ましい。なお、該ヘムは、通常のポリエステル繊維からなる織物または編物で構成されることが好ましい。
【００１７】
本考案のサウナマットにおいて、図４に示すようにサウナマットが持ち運び用の取手（ストラップ）４を有することが好ましい。かかる取手をサウナマットに設けることにより、使用者が該取手を持ってサウナマットを持ち運びできる。なお、該取手は、通常のポリエステル繊維からなる織物または編物で構成されることが好ましい。
【００１８】
本考案のサウナマットは、サウナ室内の床に設置される敷きマットとして使用してもよいが、優れた吸水性を有するので、サウナ室内のこしかけ台の上に設置される着座用であることが好ましい。本考案のサウナマットを着座用として使用することにより、使用者の体や水着に付着した水分を速やかに吸収するため、使用者は快適に感ずる。
【００１９】
また、本考案のサウナマットは一人用であることが好ましい。従来の着座用サウナマットとしては、複数の使用者が同時に着座できる寸法であり、据え置きタイプのものが多かった。この場合、他の使用者が着座したサウナマットの上に別の使用者が着座するため、不衛生であった。これに対し、本考案のサウナマットを一人用とし、一人１枚使用、すなわち、据え置きタイプではなく、使用者が着座するときにのみ使用することにより衛生的となる。その際、サウナマットの寸法としては、一辺が（３０〜５０ｃｍ）×（４０〜７０ｃｍ）の範囲内であることが好ましい。なお、かかる一人用サウナマットは特に女性に好適である。
【００２０】
本考案のサウナマットは、優れた吸水性と乾燥性を有するだけでなく、脱水効率が非常によく乾燥時間を大幅に短縮できるという特長を有している。同一サイズの綿によるマット材と比較すると乾燥時間は綿マットの１／４に短縮できることが本発明者の実験結果より得られ、重油の値上げで苦しんでいるリネンサプライ専業者には極めて大きな経済効果が期待される。さらには、合成繊維のみでサウナマットを構成することにより繰返し洗濯しても重量変化があまりなく、綿製品のような耐久劣化によるほつれ、糸切れの発生を低減することが可能となる。このような理由で、本考案のサウナマットは、耐久性が求められるリネンサプライとして好適に使用される。
なお、本考案のサウナマットには、常法の染色加工、難燃加工、マイナスイオン剤加工、吸湿吸水加工、抗菌加工など各種の加工が施されていてもよい。
【実施例】
【００２１】
以下、実施例をあげて本考案を詳細に説明するが、本考案はこれらによって何ら限定されるものではない。なお、実施例中の各測定項目は下記の方法で測定した。
（１）厚さ
ＪＩＳ  Ｌ  １０９６によりサウナマット（基布部分）の厚さを測定した。
【００２２】
［実施例１］
経糸としてポリエステル仮撚捲縮加工糸（１６５ｄｔｅｘ／４８ｆｉｌ）を用い、緯糸として符合糸を使用し、該複合糸の芯糸にはポリエステルフィラメントの仮撚捲縮加工糸（８４ｄｔｅｘ／７２ｆｉｌ）、鞘糸には分割型複合繊維フィラメント（２４８ｄｔｅｘ／６０ｆｉｌ：ポリエステルとポリアミドが相互に隣接配置された複合繊維であって１６分割され、分割後の単糸繊度が０．２５ｄｔｅｘ）の仮撚捲縮加工糸、押さえ糸には芯糸と同じ糸を使用し特開平２−２５７９１８号公報の図１に示す工程により芯糸と鞘糸のオーバーフィードの差が２１５％となるように供給して８３６ｄｔｅｘ（７６０ｄｅ）の総繊度の複合糸を作製し、これを用いた。該経糸と緯糸を経糸の密度が２００本／３．７９ｃｍ、緯糸の密度が５２本／３．７９ｃｍの設計で特開平２−２５７９１８号公報の第４図の５枚朱子二重織組織の織物を織成した。
【００２３】
該織物を精錬後、テトロシンＯＥＮ（山川薬品（株））を含む処理浴で常温で、６０分間処理して複合繊維を分割した後、通常の加工条件で乾燥、熱セット、染色の各工程を経て目付けが３８０ｇ／ｍ２厚さが２，０ｍｍの二重織物を得た。
【００２４】
次いで、該二重織物を、図１に示すような角部が丸みを有する長方形形状に裁断（辺３６ｃｍ×５０ｃｍ）することにより基布１とした。そして、該基布の周囲に、図２、図３に示すように、該周囲をポリエステル繊維織物からなるパイピング材によるヘム２を縫着し、さらに、図４に示すようにポリエステル繊維織物からなる取手（ストラップ）４を取り付けることにより、一人用サウナマットを得た。該サウナマットをサウナ室内のこしかけ台の上に置き、着座用マットとして使用したところ、使用者の体に付着した水分を速やかに吸収し吸水性に優れるものであった。また、該サウナマットを繰返し洗濯したところ、製品寿命は従来の綿からなるサウナマットに比べて２倍以上の２００回洗濯でも十分な寸法・外観安定性が得られ、綿からなるサウナマットのような洗濯１００回以上で顕著な発生がみられたほつれ、糸切れの発生が認められなかった。また、従来の綿からなる同サイズのサウナマットに比べて乾燥時間を１／４に短縮でき、乾燥性に優れるものであった。
【産業上の利用可能性】
【００２５】
本考案によれば、優れた吸水性と乾燥性を有するサウナマットが提供され、その工業的価値は極めて大である。
【図面の簡単な説明】
【００２６】
【図１】本考案のサウナマットにおいて、平面形状の一例を示す模式図である。
【図２】本考案のサウナマットにおいて、基布の周囲にふち縫い取り材が設けられている態様を示す模式図である。
【図３】図２の態様の断面図である。
【図４】本考案のサウナマットにおいて、取手が取り付けられている態様を示す模式図である。
【符号の説明】
【００２７】
１  基布
２  ヘム材
３  縫い糸
４  取手
【図１】
0003123963.tif 000003
【図２】
0003123963.tif 000004
【図３】
0003123963.tif 000005
【図４】
0003123963.tif 000006